(57)【特許請求の範囲】
【請求項１】
上下階にわたって複数の居室を配置した建物において、建物本体内に室内階段を設け、この室内階段に沿って上下階方向に多層構造の複数の収納空間を設けるとともに、玄関前に、前記室内階段の一階部分を対面させ、
前記収納空間及び前記室内階段を構成する構成材により、角筒形のコアを形成するとともに、このコア内に前記収納空間及び室内階段を配置し、
前記室内階段を、前記収納空間に接離するように折り返す折り返し階段とし、
各階の上方に位置する収納空間の出入り口付近に室内階段の踊り場を設け、各階の下方に位置する収納空間の出入り口を、各階の所定の居室に面するようにしたことを特徴とする多層型収納付き建物。
【請求項２】
前記建物に、下階から上階に吹き抜ける吹抜け空間を前記コアに対向して設け、前記吹抜け空間の平面視における幅と、前記コアの平面視における幅とを等しくしたことを特徴とする請求項１記載の多層型収納付き建物。
【請求項３】
前記建物に、ルーフバルコニーを前記吹抜け空間の上部に設け、このルーフバルコニーの平面視における幅と、前記コアの平面視における幅とを等しくしたことを特徴とする請求項２に記載の多層型収納付き建物。
【発明の詳細な説明】
【０００１】
【発明の属する技術分野】
本発明は、収納空間を上下階方向に備えた多層型収納付き建物に関するものである。
【０００２】
【背景の技術】
例えば、一般住宅や集合住宅等の建物内には、物品を収納するために押入、天袋、納戸等が設けられ、また近年では床下空間を利用した床下収納庫、さらには屋根裏収納などが設けれている。
【０００３】
近年においてはその家族構成や生活パターンの変化と共に、住戸内にも家具その他の多くの物品が揃えられ、また、その物品の使用形態も季節等に応じて多用化していることなどから、必要に応じてこれらの物品を建物内に収納しておくための大きな収納空間を必要とするようになってきている。この点は、土地の高騰に伴う敷地の有効利用および建物内容積の有効利用の観点からも、建物内に可能な限り大きくしかも効率的な収納空間を設けておくことが望まれている。
【０００４】
【発明が解決しようとする課題】
しかしながら、このような従来の収納構造においては、単に収納空間を平面的に広くしたいわゆる大型の収納部を床下等に形成したとすると、物品の出し入れ等を行う際に使い勝手が悪いという問題があった。また、このように収納空間を平面的に広く形成しても、例えば間取りとの関係などにおいて開閉蓋を設ける場所や設置数などに制約を受けるためにこれを有効利用しにくいという問題もあった。
【０００５】
また、収納空間を大きく取ると、建物内の居住空間の配置に制約が生じてしまい、居住空間への採光及び通風の面でも問題が生じてしまう。
本発明は、以上のような点を考慮してなされたもので、いわゆる蔵のような大きな収納空間を設けてこれを有効利用することができる上に使い勝手も非常に良好であり、また、快適な居住空間も得ることができる多層型収納付き建物を提供しようとするものである。
【０００６】
【課題を解決するための手段】
本発明の請求項１に記載の多層型収納付き建物は、上下階にわたって複数の居室を配置した建物において、建物本体内に室内階段を設け、この室内階段に沿って上下階方向に多層構造の複数の収納空間を設けるとともに、玄関前に、前記室内階段の一階部分を対面させ、前記収納空間及び前記室内階段を構成する構成材により、角筒形のコアを形成するとともに、このコア内に前記収納空間及び室内階段を配置し、前記室内階段を、前記収納空間に接離するように折り返す折り返し階段とし、前記室内階段を、前記収納空間に接離するように折り返す折り返し階段とし、各階の上方に位置する収納空間の出入り口付近に室内階段の踊り場を設け、各階の下方に位置する収納空間の出入り口を、各階の所定の居室に面するようにしたたことを特徴とする。
また、請求項２に記載の多層型収納付き建物は、請求項１記載の多層型収納付き建物において、前記建物に、下階から上階に吹き抜ける吹抜け空間を前記コアに対向して設け、前記吹抜け空間の平面視における幅と、前記コアの平面視における幅とを等しくしたことを特徴とする。
また、請求項３に記載の多層型収納付き建物は、請求項２に記載の多層型収納付き建物において、前記建物に、ルーフバルコニーを前記吹抜け空間の上部に設け、このルーフバルコニーの平面視における幅と、前記コアの平面視における幅とを等しくしたことを特徴とする。
【０００７】
この発明によると、収納空間が建物本体内に上下階方向に区画された多層構造となっているので、これら収納空間の天井高は例えば一般の居室よりも低くなるが、逆に手の届く範囲となるので、上部が無駄な空間とならない。そして、室内階段及び収納空間の平面スペースがコンパクトになるので、居住空間を大きくとることができる。
【０００８】
また、玄関前に、室内階段の一階部分を対面させるようにしたので、住人が上下階を移動する際の動きやすさ、すなわち、動線を効果的に配置することができる。
また、前記収納空間の出入り口付近に室内階段の踊り場を設けてもよい。このようにすると、踊り場から収納空間へと直接出入りすることができ、収納空間の使い勝手も極めて良好なものとなる。
【０００９】
また、前記収納空間の出入り口を、各階の所定の居室に面するようにしてもよい。このようにすると、居室から収納空間へ直接出入りすることができるので、蔵のような大きな収納空間を設けてもこれを有効利用できる上に使い勝手もさらに良好なものとなる。
一方、前記室内階段及び前記収納空間を、建物本体の外壁に沿って配置し、これら前記室内階段及び前記収納空間に隣接する最上階の居室をルーフバルコニ−としてもよい。このようにすると、快適な居住空間を提供することができる。
【００１０】
また、前記ルーフバルコニ−の屋根部に、天窓を設けてもよい。このようにすると、ルーフバルコニー内には光や風が入り込むので、さらに快適な居住空間となる。
さらに、前記ルーフバルコニ−の床部に、前記天窓からルーフバルコニー内に入り込んだ光や風を下階の居室に取り入れる吹き抜け部を設けてもよい。
このようにすると、上下階の居室に光や風が入り込むので、さらに快適な居住空間を得ることができる。
【００１１】
【発明の実施の形態】
以下、本発明に係る実施形態を図面に基づいて説明する。
図１から図５は、第１実施形態の多層型収納付き建物であり、本実施形態は、上下階にわたって複数の居室を配置した建物において、建物内に室内階段Ｓ１、Ｓ２、Ｓ３、Ｓ４を設け、これら室内階段Ｓ１、Ｓ２、Ｓ３、Ｓ４に沿って上下階方向に多層構造の複数の収納空間Ｋ１、Ｋ２、Ｋ３…を設け、三階の居室２８をルーフバルコニ−２８としている。
【００１２】
以下、これらについて説明すると、本実施形態はパネル組立型の３階建て住戸が例示されており、図１は一階１Ｆの平面図、図２は２階２Ｆの平面図、図３は３階３Ｆの平面図、図４は住戸の内部構造を示す立面図、図５は地階Ｌ部分を示す平面図である。
【００１３】
図１に示す一階１Ｆには、それぞれ複数の居室２、４、玄関６、浴室８、洗面所１０、トイレ１１、キッチン１２等が設けられている。
図２に示す二階２Ｆにも、居室１４、キッチン１８、浴室２０、洗面所２２等が設けられている。
図３に示す三階３Ｆにも、複数の居室２４、２６、２８、３０等が設けられている。
【００１４】
そして、住戸内の妻方向の外壁側には、地階Ｌから一階１Ｆに通じる室内階段Ｓ１、一階１Ｆから２階２Ｆに通じる室内階段Ｓ２、２階２Ｆから３階３Ｆに通じる室内階段Ｓ３、３階３Ｆから屋根裏空間Ｕに通じる室内階段（梯子）Ｓ４が設けられているとともに、これら室内階段Ｓ１…に沿って多層構造の収納空間Ｋ１、Ｋ２、Ｋ３、Ｋ４、Ｋ５、Ｋ６、Ｋ７が設けられている。
【００１５】
最下層の収納空間Ｋ１は地階Ｌの空間を利用している。また、最上層の収納空間Ｋ７は、屋根裏空間Ｕを利用している。収納空間Ｋ２は一階１Ｆの洗面所１０に面しており、内部に物品が収納可能となっている。
収納空間Ｋ３は、一階１Ｆから２階２Ｆに通じる室内階段Ｓ２の踊り場３２に面しており、この踊り場３２の出入り口を開けて内部に物品が収納可能となっている。
【００１６】
収納空間Ｋ４は、二階２Ｆから三階３Ｆに通じる室内階段Ｓ３の踊り場３４に面しており、この踊り場３４の出入り口を開けて内部に物品が収納可能となっている。
また、収納空間Ｋ６は、三階３Ｆの居室２４に面しており、出入り口を開けて内部に物品が収納可能となっている。
【００１７】
そして、室内階段Ｓ１、Ｓ２、Ｓ３、Ｓ４、収納空間Ｋ１、Ｋ２、Ｋ３、Ｋ４、Ｋ５、Ｋ６、Ｋ７を構成するパネル体を含む構成材により、住戸の妻方向の外壁側にタワー状の構造体、すなわち住戸の地階Ｌから屋根裏空間Ｕにかけて角筒型のコアが形成されている。
一方、図３に示すように、ルーフバルコニ−とした三階３Ｆの居室（以下、ルーフバルコニ−と称する）２８は、その床部に、下階に光や風を採り入れる吹き抜け部４０が設けられている。また、このルーフバルコニ−２８の屋根部には、天窓４２が設けられている。
【００１８】
また、図２に示す二階２Ｆの符号１６で示す空間は、吹き抜け空間である。この吹き抜け空間１６を設けたことで、一階１Ｆの居室４は天井が高い空間となる。そして、一階１Ｆの居室４には、三階３Ｆのルーフバルコニ−２８に天窓４０から入り込んだ光や風が、ルーフバルコニ−２８の床部に設けた吹き抜け部４０を通って一階１Ｆの居室４に向かう。
【００１９】
本実施形態によると、収納空間Ｋ１、Ｋ２、Ｋ３、Ｋ４、Ｋ５、Ｋ６、Ｋ７が住戸内に上下階方向に区画された多層構造となっているので、これら収納空間の天井高は例えば一般の居室よりも低くなるが、逆に手の届く範囲となるので、上部が無駄な空間とならない。そして、室内階段Ｓ１、Ｓ２、Ｓ３、Ｓ４、及び収納空間Ｋ１、Ｋ２、Ｋ３、Ｋ４、Ｋ５、Ｋ６、Ｋ７の平面スペースがコンパクトになるので、住戸内の居住空間を大きくとることができる。
【００２０】
また、玄関前６に、室内階段の一階部分Ｓ２を対面させるようにしたので、住人が上下階を移動する際の動線を効果的に配置することができる。
また、収納空間Ｋ３、Ｋ４の出入り口付近に室内階段Ｓ２、Ｓ３の踊り場３２、３４を設けているので、各踊り場から収納空間へと直接出入りすることができ、収納空間の使い勝手も極めて良好なものとなる。
また、収納空間Ｋ２、Ｋ５、Ｋ６の出入り口を、各階の居室１０、２２、２４に面するようにしているので、各居室から収納空間へ直接出入りすることができ、蔵のような大きな収納空間を設けてもこれを有効利用できる上に使い勝手もさらに良好なものとなる。
【００２１】
そして、三階の居室の一部をルーフバルコニ−２８とし、このルーフバルコニ−２８の屋根部に天窓４２を設けており、ルーフバルコニー２８内には光や風が入り込んでいるので、快適な居住空間を提供することができる。
さらに、ルーフバルコニ−２８の床部に、天窓４２からルーフバルコニー２８内に入り込んだ光や風を下階の居室に取り入れる吹き抜け部４０を設けているので、一階の居室４に光や風が入り込み、さらに快適な居住空間を得ることができる。
【００２２】
次に、図６は第２実施形態の２階建ての多層型収納付き建物を示すものであり、本実施形態は、地階Ｌから一階１Ｆに通じる室内階段Ｓ１、一階１Ｆから２階２Ｆに通じる室内階段Ｓ２、２階２Ｆから屋根裏空間Ｕに通じる室内階段（梯子）Ｓ４が設けられ、これら室内階段Ｓ１…に沿って多層構造の収納空間Ｋ１、Ｋ２、Ｋ３、Ｋ６、Ｋ７を設けている。そして、室内階段Ｓ２の踊り場５８に収納空間Ｋ３が面しており、収納空間Ｋ２に、一階１Ｆの居室５２が面し、収納空間Ｋ６に、２階２Ｆの居室５６が面している。このような構造とすることにより、第１実施形態と同様の効果が得られる。
【００２３】
次に、図７は第３実施形態の多層型収納付き建物を示すものであり、本実施形態は、地階Ｌから一階１Ｆに通じる室内階段Ｓ１、一階１Ｆから半２階２ＨＦに通じる室内階段Ｓ２、半２階２ＨＦから２階２Ｆに通じる室内階段Ｓ６、２階２Ｆから屋根裏空間Ｕに通じる室内階段（梯子）Ｓ６が設けられ、これら室内階段Ｓ１…に沿って多層構造の収納空間Ｋ１、Ｋ２、Ｋ３、Ｋ５、Ｋ６、Ｋ７を設けている。そして、一階１Ｆの居室６０と二階２Ｆの居室６４との間の空間に新たに収納空間Ｋ８を設けている。
【００２４】
このような構造とすることにより、第１実施形態と同様の効果が得られるとともに、さらに蔵のような大きな収納空間を設けることができる。
なお、上記各実施形態は、本発明を二階建、三階建住宅に適用した例を示したが、その他の種々建物などにも適用できることは言うまでもない。また、各収納空間の天井高としては、使い勝手を考慮した場合、普通の身長の大人が腰や頭を少し低くした状態で歩ける程度の高さ、例えば１．４ｍ程度以上の高さであれば十分であるが、収納物品の形状や収納の仕方、あるいは階高、間取りなどの関係で一部の収納空間についてそれ以下の高さにすることも可能である。また、各収納空間への階段の位置としても、間取りや収まり等の関係で適宜変更してもよい。
【００２５】
【発明の効果】
以上説明したように、本発明に係る多層型収納付き建物によれば、いわゆる蔵のような大きな収納空間を設けてこれを有効利用することができる上に使い勝手も非常に良好であり、また、快適な居住空間も得ることができる。
【図面の簡単な説明】
【図１】本発明に係る第１実施形態の建物の一階を示す平面図である。
【図２】第１実施形態の建物の２階を示す平面図である。
【図３】第１実施形態の建物の３階を示す平面図である。
【図４】第１実施形態の建物を示す立面図である。
【図５】第１実施形態の建物の地下を示す平面図である。
【図６】第２実施形態の建物を示す立面図である。
【図７】第３実施形態の建物を示す立面図である。
【符号の説明】
１０、２２、２４  居室
２８  ルーフバルコニ−
３０、３４  踊り場
４２  天窓
４０  吹き抜け部
Ｋ１  地階の収納空間
Ｋ２、Ｋ３、Ｋ４、Ｋ６、  収納空間
Ｋ５  屋根裏の収納空間
Ｓ１、Ｓ２、Ｓ３、Ｓ４  室内階段
【図１】
0003776294.tif 000002
【図２】
0003776294.tif 000003
【図３】
0003776294.tif 000004
【図４】
0003776294.tif 000005
【図５】
0003776294.tif 000006
【図６】
0003776294.tif 000007
【図７】
0003776294.tif 000008